(57)【特許請求の範囲】
【請求項１】
本体と、
本体に取り外し可能に組み合わされるノズル体とを備え、
前記ノズル体には、洗浄液の吐出流路と、ノズル側吸引流路とが並び設けられて、創部に吹きかけられた前記洗浄液が前記ノズル側吸引流路より吸引されるようにしてあり、
前記本体には、前記組み合わせ時に前記ノズル側吸引流路の終端に連通する吸引流路の始端が備えられており、
前記吸引流路の前記始端に前記吸引流路の詰まりを生じさせるおそれのある大きさの骨片などの進入を防止するフィルタ部を形成させてなると共に、
前記ノズル側吸引流路の終端側に、骨片などの貯留部を、始端を前記ノズル側吸引流路の始端とする第一流路の中心軸の側方において、前記第一流路の終端に始端を連通させると共に終端を前記ノズル側吸引流路の終端とする第二流路によって形成させてなる、創部洗浄装置。
【請求項２】
前記本体は、先端部を前記ノズル体の取付部とした実質的に真っ直ぐな胴部と、前記胴部の後端から側方に突き出す握り部とを有すると共に、前記胴部における前記握り部の突き出し側と反対の側の側部に前記洗浄液の吐出機構を構成するモータの駆動回路のスイッチを備えてなる、請求項１に記載の創部洗浄装置。
【請求項３】
前記吸引流路となるチューブと、
前記洗浄液の供給流路となるチューブと、
前記洗浄液の吐出機構を構成するモータの駆動回路を構成する電源ケーブルを開放部から内部に押し込んでこれを保持可能とする断面Ｃ字状のチューブと、
隣り合うチューブ間にあって隣り合うチューブ同士を一体化させる薄肉部とを備えた、押し出し成形品としての組みチューブ体を備えてなる、請求項１又は請求項２に記載の創部洗浄装置。
【発明の詳細な説明】
【技術分野】
【０００１】
この発明は、人体の手術などにおいて、創部の洗浄に利用される洗浄装置の改良に関する。
【背景技術】
【０００２】
人体の手術などにおいて創部の洗浄に利用されるパルス洗浄器として、特許文献１に示されるものがある。
【０００３】
この特許文献１のものでは、内蔵されたモータの駆動により、洗浄液としての生理食塩水を噴射し、また、吸引ユニットに接続された吸引ノズルを介して洗浄後の汚水を吸引するようになっている。
【０００４】
しかるに、前記汚水には、体液のほか、骨片などの人体組織の破片が少なからず混じることとなる。こうした骨片などは前記吸引ユニットと吸引ノズルとを連絡する吸引流路の詰まりの原因となる。このため、この種の洗浄装置にあっては、前記吸引流路中に骨片などをできるだけ入り込ませないようにしながら、創部洗浄後の洗浄液を吸引可能とする要請がある。
【０００５】
また、特許文献１のものでは、本体ケースの後端側が屈曲されて握り部となっており、この握り部を握った状態で本体ケースの屈曲内側に位置される出力調整レバーを人差し指で操作して洗浄液の噴射をなすようにしている。しかし、手術の状況によっては、前記握り部でなく、本体ケースの先端と後端との間となる中央部分を握るようにして創部に洗浄液を噴射させるような場合もあるところ、特許文献１のものでは前記握り部以外の箇所を握った場合、前記出力調整レバーの操作が困難となる。
【０００６】
また、この種の洗浄装置を構成する本体は、洗浄液の供給流路、吸引流路、前記モータに対する電源ケーブルの三者と接続される必要があるところ、本体の取り回しをスムースに行えるようにする観点からはこれらの三者を適切に纏めるようにすることが望まれるところである。
【先行技術文献】
【特許文献】
【０００７】
【特許文献１】特許第５６４９３８２号公報
【発明の概要】
【発明が解決しようとする課題】
【０００８】
この発明が解決しようとする主たる問題点は、この種の洗浄装置の使い勝手を合理的に向上させる点にある。
【課題を解決するための手段】
【０００９】
前記課題を達成するために、この発明にあっては、創部洗浄装置を、
本体と、
本体に取り外し可能に組み合わされるノズル体とを備え、
前記ノズル体には、洗浄液の吐出流路と、ノズル側吸引流路とが並び設けられて、創部に吹きかけられた前記洗浄液が前記ノズル側吸引流路より吸引されるようにしてあり、
前記本体には、前記組み合わせ時に前記ノズル側吸引流路の終端に連通する吸引流路の始端が備えられており、
前記吸引流路の前記始端に前記吸引流路の詰まりを生じさせるおそれのある大きさの骨片などの進入を防止するフィルタ部を形成させてなる、ものとした。
【００１０】
前記ノズル側吸引流路の終端に、骨片などの貯留部を形成させておくことが、この発明の好ましい態様の一つとされる。
【００１１】
また、前記貯留部を、始端を前記ノズル側吸引流路の始端とする第一流路の中心軸の側方において、前記第一流路の終端に始端を連通させると共に終端を前記ノズル側吸引流路の終端とする第二流路によって形成させるようにすることが、この発明の好ましい態様の一つとされる。
また、前記本体は、先端部を前記ノズル体の取付部とした実質的に真っ直ぐな胴部と、前記胴部の後端から側方に突き出す握り部とを有すものとすると共に、前記胴部における前記握り部の突き出し側と反対の側の側部に前記洗浄液の吐出機構を構成するモータの駆動回路のスイッチを備えさせるようにすることが、この発明の好ましい態様の一つとされる。
【００１２】
また、前記創部洗浄装置が、前記吸引流路となるチューブと、
前記洗浄液の供給流路となるチューブと、
前記洗浄液の吐出機構を構成するモータの駆動回路を構成する電源ケーブルを開放部から内部に押し込んでこれを保持可能とする断面Ｃ字状のチューブと、
隣り合うチューブ間にあって隣り合うチューブ同士を一体化させる薄肉部とを備えた、押し出し成形品としての組みチューブ体を備えてなるものとすることが、この発明の好ましい態様の一つとされる。
【発明の効果】
【００１３】
この発明によれば、第一に、創部洗浄装置を構成する吸引流路にその詰まりを生じさせるおそれのある大きさの骨片などができるだけ進入しないようにした状態で、創部洗浄後の洗浄液を吸引でき、また、ノズル体内に蓄えられた骨片などは本体からノズル体を取り外すことでノスル体内から除去でき、第二に、本体の真っ直ぐ部を握った場合でも把持部を握った場合でもスイッチの操作が可能であり、第三に本体に接続された二種のチューブと電源ケーブルとを接着したり粘着テープで束ねるといったことをすることなく纏めることができ、創部洗浄装置の使い勝手は合理的に向上される。
【図面の簡単な説明】
【００１４】
【図１】図１は、この発明の一実施の形態にかかる創部洗浄装置の全体構成を示した側面図である。
【図２】図２は、前記創部洗浄装置の平面図である。
【図３】図３は、前記創部洗浄装置の断面構成図である。
【図４】図４は、図３の要部を拡大して示した断面構成図である。
【図５】図５は、創部洗浄装置の本体の取付部の側面構成図である。
【図６】図６は、創部洗浄装置の本体の取付部を図５の左側から見て示した構成図であり、ノズル体の基部を同時に断面にして示しおり、バネによってノズル体の基部をロックした状態を示している。
【図７】図７は、創部洗浄装置の本体の取付部を図５の左側から見て示した構成図であり、ノズル体の基部を同時に断面にして示しおり、バネによるノズル体の基部のロックを解除した状態を示している。
【図８】図８は、創部洗浄装置を構成する本体における洗浄液コネクタ、シリンダ、及び吸引コネクタを一体に備えた部品の正面図である。
【図９】図９は、図８におけるＡ−Ａ線位置での断面図である。
【図１０】図１０は、図８におけるＢ−Ｂ線位置での断面図である。
【図１１】図１１は、創部洗浄装置を構成するノズル体における基部構成部分の斜視図である。
【図１２】図１２は、創部洗浄装置を構成するバネの斜視図である。
【図１３】図１３は、創部洗浄装置を構成する組みチューブ体の側面図である。
【図１４】図１４は、創部洗浄装置を構成する組みチューブ体の平面図である。
【図１５】図１５は、創部洗浄装置の握り部を握った様子を示した側面図である。
【図１６】図１６は、創部洗浄装置の胴部を握った様子を示した側面図である。
【図１７】図１７は、創部洗浄装置を構成するモータの駆動回路の回路図である。
【発明を実施するための形態】
【００１５】
以下、図１〜図１７に基づいて、この発明の典型的な実施の形態について、説明する。この実施の形態にかかる創部洗浄装置は、人体の手術などにおいて、創部の洗浄に利用されるものである。
【００１６】
かかる創部洗浄装置は、本体１と、この本体１に取り外し可能に組み合わされるノズル体２とを備えている。
【００１７】
図示の例では、ノズル体２は、創部に指向されるノズル体２の先端を構成するマズルカバー２３と、これと反対のノズル体２の基部２２を構成する基部構成部分２４と、両者間に位置される中間部分２５とを組み合わせた構造となっている（図４参照）。
【００１８】
前記本体１には、洗浄液の吐出機構が内蔵されると共に、洗浄液の吸引流路３の一部が内蔵されている。洗浄液としては、典型的には、生理食塩水が使用される。また、前記吸引流路３は、公知の吸引装置の吸引流路３の一部をなすものである。
【００１９】
前記ノズル体２には、本体１への組み合わせ時に、前記吐出機構に接続される吐出流路２０と、前記吸引流路３に連通されるノズル側吸引流路２１とが形成されている。
【００２０】
前記本体１にノズル体２を組み合わせた状態において、本体１外から供給される洗浄液が、前記吐出機構によって、ノズル体２の吐出流路２０に送り込まれ、ノズル体２より創部に吹きかけられるようになっている。それと共に、吹きかけられた洗浄液は、ノズル側吸引流路２１と前記吸引流路３とを通じて吸引されさらに本体１外に送り出されるようになっている。
【００２１】
この実施の形態にあっては、前記本体１は、先端部を前記ノズル体２の取付部７ａとした実質的に真っ直ぐな胴部７と、前記胴部７の後端から側方に突き出す握り部８とを有すると共に、前記胴部７における前記握り部８の突き出し側と反対の側の側部７ｂに前記洗浄液の吐出機構を構成するモータ４ｃの駆動回路４のスイッチ４ａを備えた構成となっている。前記握り部８は、前記胴部７の中心軸に対し交叉する向きに、前記握り部８の後端から突き出すようになっている。
【００２２】
図示の例では、前記取付部７ａは、ノズル体２の基部２２、つまり、ノズル体２における創部に指向される先端側と反対の側を、前方から受け入れ、これにはめ付くような構造となっている。
【００２３】
図中符号９は取付部７ａを覆うフード、符号１０はロック用のバネ、符号１１は取付部７ａの内奥部から前方に突き出す洗浄液コネクタ、符号１２は取付部７ａの内奥部から前方に前端部１２ｂを突き出す吸引コネクタである。
【００２４】
前記フード９の内側に洗浄液コネクタ１１が位置され、吸引コネクタ１２はフード９の外側に位置されている。図示の例では、洗浄液コネクタ１１、後述のシリンダ１６、吸引コネクタ１２は一体化された部品となっている（図８〜図１０参照）。
【００２５】
前記バネ１０は、金属線材よりなり、左右の脚部１０ａ、１０ａと、この左右の脚部１０ａ、１０ａの基端間に亘る連絡部１０ｂとを有し、フード９の外側に形成された溝９ａを利用して、フード９の外側に取り付けられている（図５〜図７参照）。バネ１０の左右の脚部１０ａ、１０ａの中間部は、フード９に形成した割り溝９ｂを通じてフード９の内側に入り込んでいる。図示の例では、フード９内にノズル体２の基部２２を前方より入れ込みきると、基部２２の外側に形成させた段差２２ａにバネ１０の脚部１０ａの中間部が引っかかり、これにより、フード９内にノズル体２の基部２２を入れ込みきった状態、つまり、本体１にノズル体２を組み合わせた状態が維持されるようになっている（図６）。この組み合わせ状態において、本体１の洗浄液コネクタ１１がノズル体２の吐出流路２０に接続され、かつ、吸引コネクタ１２がノズル体２のノズル側吸引流路２１に接続されるようになっている（図３）。
【００２６】
前記本体１と前記ノズル体との組み合わせ状態は、前記バネ１０の連絡部１０ｂを押圧操作することで解除可能となっている。前記組み合わせ状態から前記バネ１０の連絡部１０ｂを押圧すると、バネ１０の脚部１０ａの先端がフード９の外側に形成されたカム部９ｃに当たりバネ１０は脚部１０ａの中間部をフード９の外側に移動させる向きに弾性変形されるようになっている（図７）。これにより、バネ１０とノズル体２の前記引っかかりを解いて、フード９内、つまり、前記取付部７ａ内からノズル体２の基部２２を抜き出し、本体１とノズル体２とを分離できるようになっている。なお、図示の例では、フード９の外側に更にバネ１０のカバー１３が取り付けられており、前記バネ１０の押圧操作は、このカバー１３を介して行うようになっている。
【００２７】
再び前記本体１に前記ノズル体２を組み合わせるに際しては、ノズル体２の基部２２の外側であって前記段差２２ａより後方に形成されたカム面２２ｂ（図１１参照）にバネ１０の脚部１０ａの中間部が当たってバネ１０が弾性変形されるようになっており、この中間部が段差２２ａに引っかかる入れ込み終了位置に向けたフード９内へのノズル体２の基部２２のはめ込みが円滑になされるようになっている。
【００２８】
図３中、符号４ｃはモータ、符号１４はピストン、符号１５はモータ４ｃの回転力をピストン１４の移動力に変換するギヤ、符号１６はシリンダである。これらは、本体１の胴部７内であって、取付部７ａと握り部８との間に、内蔵されている。モータ４ｃが駆動されるとギヤ１５が回転しピストン１４が前後動するようになっている。シリンダ１６の側部と前端にはそれぞれ一方向弁１７、１８が設けられている（図３、図４、図９、図１０）。図示の例では、ピストンの後退時には前端の一方向弁１８が閉じ側部の一方向弁１７が開いてシリンダ１６内に洗浄液が吸引され、ピストンの前進時には前端の一方向弁１８が開き側部の一方向弁１７が閉じて洗浄液がシリンダ１６内から送り出されるようになっている(図示は省略するが、洗浄液の供給流路５は一方向弁１７の設置位置においてシリンダ１６に連絡されている。）。そして、このように送り出される洗浄液が、前記洗浄液コネクタ１１を通じて前記ノズル体２の吐出流路２０に送り込まれるようになっている。
【００２９】
前記モータ４ｃの駆動回路４のスイッチ４ａは、図３中符号４ｂで示す中心軸を中心に、その前端側を押し込んだ第一ポジションと、その後端側を押し込んだ第二ポジションと、いずれも押し込まないニュートラルポジションとの三つのポジションのいずれか一つのポジションに選択的に位置づけられるようになっている（図３の状態はニユートラルポジション）。図１７に前記駆動回路４の一例を示す。図１７中符号４ｄは前記駆動回路４を構成する第一電源（電池）、符号４ｅは第二電源（電池）、符号４ａはスイッチ、符号４ｃはモータである。第一ポジションでは第一電源４ｄを含んだ回路が閉成され、一方、第二ポジションでは第一電源４ｄ及び第二電源４ｅを直列に接続した回路が閉成されるようにしておく。これにより、モータ４ｃに付与される電圧を変えて第二ポジションにある場合には単位時間当たりの洗浄液の吐出量が増加されるようにしている。
【００３０】
前記スイッチ４ａは、前記胴部７における前記握り部８の突き出し側と反対の側の側部に設けられていることから、第一に、握り部８を握るようにして本体１を把持したときには、図１５に示されるように、親指でスイッチ４ａが操作できる。また、第二に、握り部８を利用せずに胴部７をつかむようにして本体１を把持したときには、図１６に示されるように、親指以外の指でスイッチ４ａを操作することができる。また、前記のように本体１よりノズル体２を取り外す際、あるいは、一旦取り外したノズル体２を再び本体１に組み合わせるに際しては、スイッチ４ａに指を触れさせることなく、その作業をなすことができる。
【００３１】
また、この実施の形態にあっては、創部洗浄装置は、前記吸引流路３となるチューブ６ａと、
前記洗浄液の供給流路５となるチューブ６ｂと、
前記洗浄液の吐出機構を構成するモータ４ｃの駆動回路４を構成する電源ケーブル４ｆを開放部から内部に押し込んでこれを保持可能とする断面Ｃ字状のチューブ６ｃと、
隣り合うチューブ間にあって隣り合うチューブ同士を一体化させる薄肉部６ｄとを備えた、押し出し成形品としての組みチューブ体６を備えている。
【００３２】
図示の例では、前記電源ケーブル４ｆは、前記第一電源４ｄ及び第二電源４ｅとモータ４ｃとを接続するようになっている。
【００３３】
断面Ｃ字状のチューブ６ｃは、図示の例では、供給流路５となるチューブ６ｂと一体化されている。具体的には、断面Ｃ字状のチューブ６ｃの開口側と反対の背部と供給流路５となるチューブ６ｂの外面部との間に両者を一体化させる薄肉部６ｄが形成されている（図１３、図１４参照）。これにより、前記吸引流路３となるチューブ６ａと前記供給流路５となるチューブ６ｂと前記電源ケーブル４ｆとを三者を纏めて扱うことが都合の良い箇所では断面Ｃ字状のチューブ６ｃに電源ケーブル４ｆを保持させることで一体化させておくことができる。また、三つのチューブ６ａ、６ｂ、６ｃは薄肉部６ｄを破断することで必要な範囲で容易に分離することもできることから、三者を別々に、あるいは、三者の内の二者と残りの一者とを別に扱うことが都合の良い箇所（例えば、組みチューブ体６と本体１との接続箇所など）では、前記一体化を解除した状態として利用することもできる。
【００３４】
一方、前記ノズル体２には、洗浄液の吐出流路２０と、ノズル側吸引流路２１とが並び設けられて、創部に吹きかけられた前記洗浄液が前記ノズル側吸引流路２１より吸引されるようにしてある。
【００３５】
図示の例では、前記ノズル体２は、前記洗浄液の吐出流路２０を構成する第一管部分２６と、前記ノズル側吸引流路２１を構成する第二管部分２７とを、第一管部分２６の側方に第二管部分２７が位置され、かつ、第一管部分２６の中心軸と第二管部分２７の中心軸とが実質的に平行をなすようにした状態で、一体化させることで構成されている。図中符号２３はノズル体２の先端、つまり、創部に指向される側に取り付けられた軟質プラスチック製のマズルカバーであり、マズルカバー２３内において吐出流路２０の終端２０ａの側方にノズル側吸引流路２１の始端２１ａ(一次側）が位置されるようになっている。前記ノズル体２の基部２２側において、第一管部分２６の外側に前記段差２２ａとカム面２２ｂとが形成されている。
【００３６】
また、前記本体１には、前記組み合わせ時に前記ノズル側吸引流路２１の終端２１ｂ（二次側）に連通する吸引流路３の始端３ａが備えられている。図示の例では、前記吸引コネクタ１２が吸引流路３の始端３ａとして機能するようになっている。具体的には、図示の例では、前記組み合わせ時に、前記吸引コネクタ１２が後方よりノズル側吸引流路２１内に入り込み、これにより、前記ノズル側吸引流路２１の終端２１ｂに前記吸引流路３の始端３ａが連通されるようになっている。前記吸引コネクタ１２は、筒状をなすと共に、本体１内に位置される後端部１２ａに対し、本体１内において前記吸引流路３となるチューブ６ａが接続されるようになっている（図３参照）。
【００３７】
そして、この実施の形態にあっては、前記吸引流路３の前記始端３ａ、図示の例では、前記吸引コネクタ１２の前記本体１の外側に位置される前端部１２ｂに、前記吸引流路３の詰まりを生じさせるおそれのある大きさの骨片などの進入を防止するフィルタ部１９を形成させている。図示の例では、吸引コネクタ１２の前端部１２ｂは、断面円形状を呈すると共に、この円の中心において直角に交わる二つの仕切り体１９ａ、１９ａによって４つに分割されている（図８参照）。これにより、前記大きさの骨片などが前記吸引流路３に入り込む事態を防止するようになっている。すなわち、この実施の形態にあっては、前記二つの仕切り体１９ａ、１９ａによって前記フィルタ部１９を構成させている。
【００３８】
なお、かかるフィルタ部１９は、前記吸引流路３の詰まりを生じさせるおそれのある大きさの骨片などの進入を防止する構造のものであれば良く、例えば、前記吸引流路３の前記始端を塞ぐメッシュなど、こうした骨片などの進入防止機能を持つものであればいかなる構造のものであっても構わない。
【００３９】
この実施の形態にかかる創部洗浄装置にあっては、吸引される洗浄液中に含まれる骨片などを前記吸引流路３に入り込ませずに、ノズル体２のノズル側吸引流路２１内に留めさせることができる。これにより、前記吸引流路３、より具体的には、前記吸引流路３となるチューブに前記骨片などを原因とする詰まりができるだけ生じないようにすることができる。ノズル側吸引流路２１内に留まった骨片などは、本体１からノズル体２を取り外すことで、ノズル体２内から除去することができる。
【００４０】
また、この実施の形態にあっては、前記ノズル側吸引流路２１の終端２１ｂに、骨片などの貯留部２８が形成されている。
【００４１】
具体的には、この実施の形態にあっては、前記貯留部２８を、始端２９ａを前記ノズル側吸引流路２１の始端２１ａとする直線的な第一流路２９の中心軸の側方において、前記第一流路２９の終端２９ｂに始端３０ａを連通させると共に終端３０ｂを前記ノズル側吸引流路２１の終端２１ｂとする直線的な第二流路３０によって形成させてなる（図４参照）。そして、図示の例では、前記吸引コネクタ１２は、後方より前記第二流路３０の長さ方向中程の位置まで入り込むようになっており、前記吸引コネクタ１２の前端部１２ｂと第二流路３０の始端３０ａとの間が前記貯留部２８として機能するようにしてある（図４参照）。
【００４２】
なお、当然のことながら、本発明は以上に説明した実施形態に限定されるものではなく、本発明の目的を達成し得るすべての実施形態を含むものである。
【符号の説明】
【００４３】
１  本体
２  ノズル体
２０  吐出流路
２１  ノズル側吸引流路
３  吸引流路
３ａ  始端
１９  フィルタ部
【図１】
0006473093.tif 000002
【図２】
0006473093.tif 000003
【図３】
0006473093.tif 000004
【図４】
0006473093.tif 000005
【図５】
0006473093.tif 000006
【図６】
0006473093.tif 000007
【図７】
0006473093.tif 000008
【図８】
0006473093.tif 000009
【図９】
0006473093.tif 000010
【図１０】
0006473093.tif 000011
【図１１】
0006473093.tif 000012
【図１２】
0006473093.tif 000013
【図１３】
0006473093.tif 000014
【図１４】
0006473093.tif 000015
【図１５】
0006473093.tif 000016
【図１６】
0006473093.tif 000017
【図１７】
0006473093.tif 000018